(57)【要約】【課題】簡単な構造で、安価な水道水の水圧によりハウス本体を上下させて換気を行うビニールハウスを提供する。【解決手段】所定形状に組み立てられた枠部材１２に合成樹脂シート１４をかけて設けられ、下面が開口しているハウス本体１６を有する。ハウス本体１６に取り付けられ、ハウス本体１６を保持する押上筒２４と、押上筒２４の下端部に設けられ水道水の水圧で押上筒２４を上下に移動させる昇降装置３５を備える。昇降装置３５は、地面に垂直に埋設されたシリンダ３６と、シリンダ３６の内側に設けられ水密に摺動可能に嵌合されたピストン４０から成る。ピストン４０は、押上筒２４の下端部に位置している。押上筒２４は中空で、ピストン４０には押上筒２４の中空部分とシリンダ３６の内部空間を連通する注水透孔４２を備え、押上筒２４の上端部付近には水道水の注出と排出を行う給排水口４６を備える。【選択図】図１
0003180638.tif 000002
【実用新案登録請求の範囲】
【請求項１】
所定形状に組み立てられた枠部材に合成樹脂シートをかけて設けられ下面が開口しているハウス本体と、前記ハウス本体に取り付けられ前記ハウス本体を保持する押上筒と、前記押上筒の下端部に設けられ水道水の水圧で前記押上筒を上下に移動させる昇降装置が設けられたことを特徴とするビニールハウス。
【請求項２】
前記昇降装置は、地面に垂直に埋設されたシリンダと、前記シリンダの内側に設けられ水密に摺動可能に嵌合されたピストンが設けられ、前記ピストンは前記押上筒の下端部に位置し、前記押上筒は中空であり、前記ピストンには前記押上筒の中空部分と前記シリンダの内部空間を連通する注水透孔が設けられ、前記押上筒の上端部付近には水道水の注出と排出を行う給排水口が設けられ、前記給排水口は、ホースが連結されて水道水の蛇口に接続され、前記押上筒の給排水口から水道水を注入すると、水道水は押上筒を流れピストンを通過してシリンダに満たされ、水道水によりピストンと押上筒が押し上げられてハウス本体が上昇し地面との間に隙間が生じて、換気を行い、押上筒の給排水口から水道水を抜くと、ピストンと押上筒はハウス本体の自重で下がりハウス本体の開口した下面が地面に当接し、通気を遮断し断熱効果を上げることができる請求項１記載のビニールハウス。
【請求項３】
前記ビニールハウスには地面に略垂直に立設されたガイド棒が設けられ、前記ハウス本体には、前記ガイド棒を摺動可能に嵌合する摺動部材が一体に設けられ、前記ガイド棒は、ハウス本体の中心を貫通する１本の中心ガイド棒と、前記ハウス本体の側縁部の４カ所に各々位置する４本の外側ガイド棒が設けられている請求項１記載のビニールハウス。
【請求項４】
前記昇降装置と前記押上筒は３個設けられ、前記ハウス本体の中心に対向する地面に設けられた１個の中心基礎部材に固定され、前記前記３個の昇降装置と押上筒の中心には、前記中心ガイド棒が中心基礎部材に固定されて位置している請求項３記載のビニールハウス。
【考案の詳細な説明】
【技術分野】
【０００１】
この考案は、屋外に設けられ温度や湿度を調整しながら植物の栽培を行うビニールハウスに関する。
【背景技術】
【０００２】
従来、ビニールハウスは、地面に立設された枠部材と、この枠部材に張られた合成樹脂シートが設けられ、地面に植えられた作物を覆って温度や湿度の調整をしながら栽培を行うものである。ビニールハウスにはいろいろな種類がある。例えば、特許文献１に開示されている家庭菜園折畳式ミニービニールハウスは、組み立てが簡単なものであり、骨組みの構造は壁や屋根等の各ブロックに分かれ、各ブロックは障子に類似した形態で形成され、各ブロックの固定する部分は蝶ネジが使用されている。これを組み合わせることで骨組みができ、組み立てた骨組みには、ビニールカバーが掛けられている。そして出入り口には開閉が自由なチャックを両面に取り付けている。
【０００３】
また、特許文献２に開示されているビニールハウスの換気装置は、ビニールハウスのハウス内の換気を行いハウス内の温度と湿度を調整する換気装置が取り付けられている。このビニールハウスの換気装置は、ビニールハウスに近接して起立したガイドロッドと、ガイドロッドに上下移動自在に取り付けられた回転駆動装置と、前記回転駆動装置に一端を回転自在に結合しながらビニールハウスの側面又は屋根面に対向して水平に配置したシャフトと、シャフトに一端を係合し他端をビニールハウスに結合した透明シートとを備え、回転駆動装置でシャフトを時計方向または反時計方向に回転したとき前記シャフトに透明シートが巻かれ又は巻き戻されてビニールハウスの開口部を開閉するものである。
【０００４】
また、特許文献３に開示されている栽培用ハウスは、地面に立設された支柱の上部に駆動機構によって開閉される開閉天窓が設けられ、容易に換気することができるものである。また、地面に立設された支柱を中心としてその周りには多数の支持柱がクロスリンクにより伸縮変形自在に連繋された柵部材を立設し、設置面に傾斜や凹凸があっても柵部材を水平に保つことができ、立地条件に影響されにくいものである。
【０００５】
また、ビニールハウスは天井の高さが変えられないものであったが、ビニールハウス以外の構造物では天井の高さが変えられるものがある。特許文献４に開示されている大規模イベント空間構造は、大屋根が柱に反力をとって昇降可能となっているものである。具体的には、大屋根の底部から柱と対応する位置に垂下された脚部の内部空間に、柱がそれぞれ進退可能となっているとともに、脚部の内部空間にはオイルが充填されていて脚部がシリンダで、柱がピストンである大形の油圧ジャッキが構成されている。
【０００６】
また、特許文献５に開示されている車載用収納庫は、可動屋根の四隅に設けられたガイド棒を収納庫本体の四隅に設けたガイド用の中空の支柱内にそれぞれ挿通し、その下部に油圧シリンダが配置されている。
【先行技術文献】
【特許文献】
【０００７】
【特許文献１】特開２０１０−８１９２９号公報
【特許文献２】特開２００９−２７３３８９号公報
【特許文献３】特開平９−１０７８１１号公報
【特許文献４】特開平９−３１０４０７号公報
【特許文献５】特開２０００−５２７７７号公報
【考案の概要】
【考案が解決しようとする課題】
【０００８】
上記背景技術の場合、ビニールハウスは、天候に合わせて換気を行ったり締め切ったりして作物の生育に適した環境を作ることができるが、特許文献１のビニールハウスは構造が単純であり、換気する装置は設けられていなかった。特許文献２と特許文献３のビニールハウスは、換気する装置が設けられているが、駆動装置が必要で構造が複雑でありコストがかかるものであった。例えば、簡単にビニールハウスの高さを変えてビニールと地面との間に隙間を作って換気することが考えられるが、ビニールハウスで高さを変えられるものがなかった。特許文献４と特許文献５には、ビニールハウス以外の構造物で高さを変更するものが開示されているが、油圧シリンダを用いるため装置が複雑でコストがかかるものであった。
【０００９】
この考案は、上記背景技術の問題点に鑑みてなされたものであり、簡単な構造で、安価な水道水の水圧によりハウス本体を上下させて換気を行うビニールハウスを提供することを目的とする。
【課題を解決するための手段】
【００１０】
この考案は、所定形状に組み立てられた枠部材に合成樹脂シートをかけて設けられ下面が開口しているハウス本体と、前記ハウス本体に取り付けられ前記ハウス本体を保持する押上筒と、前記押上筒の下端部に設けられ水道水の水圧で前記押上筒を上下に移動させる昇降装置が設けられたビニールハウスである。
前記昇降装置は、地面に垂直に埋設されたシリンダと、前記シリンダの内側に設けられ水密に摺動可能に嵌合されたピストンが設けられている。前記ピストンは、前記押上筒の下端部に位置している。前記押上筒は中空であり、前記ピストンには前記押上筒の中空部分と前記シリンダの内部空間を連通する注水透孔が設けられ、前記押上筒の上端部付近には水道水の注出と排出を行う給排水口が設けられている。前記給排水口は、ホース等が連結されて水道水の蛇口に接続されている。
【００１１】
この考案のビニールハウスは、押上筒の給排水口から水道水を注入すると、水道水は押上筒を流れピストンを通過してシリンダに満たされる。水道水によりピストンと押上筒が押し上げられてハウス本体が上昇し地面との間に隙間が生じて、換気を行う。次に、押上筒の給排水口から水道水を抜くと、ピストンと押上筒はハウス本体の自重で下がりハウス本体の下面の開口部が地面に当接し、通気を遮断し断熱効果を上げる。
【００１２】
前記ビニールハウスには地面に略垂直に立設されたガイド棒が設けられ、前記ハウス本体には、前記ガイド棒を摺動可能に嵌合する摺動部材が一体に設けられている。前記ガイド棒は、ハウス本体の中心を貫通する１本の中心ガイド棒と、前記ハウス本体の側縁部の４カ所に各々位置する４本の外側ガイド棒が設けられている。
【００１３】
前記昇降装置と前記押上筒は３個設けられ、前記ハウス本体の中心に対向する地面に設けられた１個の中心基礎部材に固定され、前記３個の昇降装置と押上筒の中心には、前記中心ガイド棒が前記中心基礎部材に固定されて位置している。
【００１４】
前記ハウス本体の下端部には、ネットが取り付けられている。
【考案の効果】
【００１５】
この考案のビニールハウスは、簡単な構造で、安価な水道水の水圧によりハウス本体を上昇させて地面との間に空間を作り、換気を行い、作業者が入って作業を行うことができる。うことができる。水道水を抜いてハウス本体を下降させて地面に当接させ、通気を遮断し断熱効果を上げることができる。天候に合わせて上下に移動して作物の生育に適した環境を作ることができる。ビニールハウスは簡単な構造であり、製造コストとランニングコストが安価であり、手軽に利用することができる。
【図面の簡単な説明】
【００１６】
【図１】この考案の一実施形態のビニールハウスのハウス本体を上昇させた状態を示す縦断面図である。
【図２】図１の斜視図である。
【図３】この実施形態のビニールハウスのハウス本体を地面に下ろした状態を示す縦断面図である。
【図４】図３の斜視図である。
【図５】この実施形態の変形例を示す縦断面図である。
【図６】図５の斜視図である。
【考案を実施するための形態】
【００１７】
以下、この考案の実施形態について図面に基づいて説明する。図１〜図４はこの考案の一実施形態を示すもので、この実施形態のビニールハウス１０は、所定形状の枠部材１２に合成樹脂シート１４をかけたハウス本体１６が設けられている。枠部材１２は金属製の棒部材を溶接して設けられ、屋根部の外枠となる水平な正方形の上枠部１２ａが設けられ、上枠部１２ａの内側に格子状の内枠部１２ｂが複数本互いに等間隔で設けられている。上枠部１２ａの下面には、縦部材１２ｃが等間隔で垂直に下垂して設けられ、縦部材１２ｃの下端部には、上枠部１２ａと同形状の下枠部１２ｄが上枠部１２ａに対して平行に設けられている。枠部材１２の外側は、下枠部１２ｄで囲まれた下面以外の部分が合成樹脂シート１４で覆われている。合成樹脂シート１４の素材は塩化ビニル等自由に設定可能である。
【００１８】
上枠部１２ａの中心には、取付板１８が設けられている。取付板１８は、矩形の板体であり、枠部材１２の内枠部１２ｂ同士で作られる格子とほぼ同じ大きさであり、上枠部１２ａの中心に位置する格子に嵌合されて固定されている。取付板１８の中心には後述する中心ガイド棒２６が摺動可能に挿通される透孔２０が設けられ、透孔２０を囲む円筒部２１が設けられている。中心ガイド棒２６は、ビニールハウス１０の中心に位置する円柱であり、ビニールハウス１０が建てられる地面２８に、後述する中心基礎部材３０で固定されている。取付板１８の下面には、円筒状の連結部２２が３個設けられ、連結部２２は透孔２０の周囲に均等に設けられている。取付板１８の連結部２２には、押上筒２４が各々取り付けられ、合計３個取り付けられている。押上筒２４は中空のステンレス管等であり、上端部が取付板１８の連結部２２に取り付けられ、中心ガイド棒２６に沿って下方に延出し中心基礎部材３０に達している。
【００１９】
ビニールハウス１０が建てられる地面２８には、ビニールハウス１０の中心に対向する位置に、コンクリート製の中心基礎部材３０が設けられている。中心基礎部材３０は水平方向が三角形の三角柱状のブロック体であり、中心基礎部材３０の上面３０ａは地面２８から一定高さに突出し、中心基礎部材３０の約半分の部分は地面２８に埋められている。中心基礎部材３０の上面３０ａの中心には、中心ガイド棒２６の下端部が当接して固定され、中心ガイド棒２６と中心基礎部材３０の間にピン３２が埋め込まれて中心ガイド棒２６を支持している。
【００２０】
中心基礎部材３０の上面３０ａの、中心ガイド棒２６の周囲には、３個の押上筒２４が各々挿通されるフランジ３４が３個設けられている。各フランジ３４の下には、昇降装置３５が設けられている。
【００２１】
ここで、昇降装置３５について説明する。筒状のシリンダ３６が各々垂直に地面２８に埋められて設けられ、シリンダ３６の上端部はフランジ３４で閉鎖され、シリンダ３６の下端部は地面基礎部材３８に固定されている。地面基礎部材３８は、コンクリート等である。３本の各押上筒２４の下端部は、中心基礎部材３０の上面３０ａに設けられたフランジ３４に挿通され、シリンダ３６の内部空間に各々入れられ、ピストン４０が取り付けられている。ピストン４０は、円形の板で形成されシリンダ３６の内側に摺動可能に設けられている。ピストン４０の外周には、断面が円形のＯリングであるシール材が嵌合され、シリンダ３６の内壁に密着して、ピストン４０がシリンダ３６内を水密状態を維持して摺動可能にしている。押上筒２４は中空であり、ピストン４０の中心には、押上筒２４の中空部分とシリンダ３６の内部空間を連通する注水透孔４２が設けられている、注水透孔４２の中心基礎部材３０側の面には、注水透孔４２を囲む円筒部４４が設けられ、円筒部４４には押上筒２４の下端部が嵌合されて取り付けられている。円筒部４４の内周面は、深くなるにつれて直径が細くなるテーパ面が形成され、押上筒２４の下端部が確実に取り付けられている。
【００２２】
押上筒２４の上端部付近には、給排水口４６が内外に貫通して設けられている。３個の押上筒２４の各給排水口４６は、１本のホース４８に連結され、図示しない水道の蛇口に接続されている。ホース４８の途中に、ホース４８内の水道水を抜く弁部材が取り付けられてもよい。
【００２３】
ハウス本体１６の、枠部材１２の上枠部１２ａの４つの角部には、円筒状の摺動部材５０が溶接されて取り付けられている。摺動部材５０は長手方向が垂直に位置し、後述する外側ガイド棒５２が挿通される。外側ガイド棒５２は、ビニールハウス１０の角部に位置する円柱であり、ビニールハウス１０が建てられる地面２８に、後述する外側基礎部材５４で固定されている。外側基礎部材５４はコンクリート製であり、円柱状のブロック体である。外側基礎部材５４の約半分の部分は地面２８に埋められている。
【００２４】
ハウス本体１６の下枠部１２ｄには、ネット５７が取り付けられている。ネット５７は、下枠部１２ｄに沿って、一定幅で一周して設けられ、ネット５７の幅は、図１に示すようにハウス本体１６が、中心ガイド棒２６と外側ガイド棒５２の上端まで上げられた時に地面２８から離れる長さである。
【００２５】
ハウス本体１６の、枠部材１２の外側は、下枠部１２ｄで囲まれた下面以外の部分が合成樹脂シート１４で覆われている。合成樹脂シート１４は、枠部材１２を覆う矩形に形成されたものでもよく、一定幅の長尺の合成樹脂シート１４を並べて枠部材１２に取り付けてもよい。合成樹脂シート１４の端部をロープ等で下枠部１２ｄ等に固定してもよい。
【００２６】
次に、この実施形態のビニールハウス１０の使用方法について説明する。ビニールハウス１０は、畑や庭の地面２８に設けられ、地面２８には作物５６が植えられている。晴天で気温が高い時は、図１、図２に示すように、ホース４８から水道水を注入して、水道水は給排水口４６から押上筒２４に入り、シリンダ３６内に注入される。シリンダ３６内の水道水の水圧でピストン４０と押上筒２４を押し上げて、ハウス本体１６が中心ガイド棒２６と外側ガイド棒５２に沿って上昇し、中心ガイド棒２６と外側ガイド棒５２の上端部付近で止まる。このとき、ハウス本体１６とネット５７は地面２８から離れ、風通しが良好となる。また、作業者の出入りが自由となり、地面２８の雑草の除去や施肥等の作業を行うことができる。また、ハウス本体１６を中心ガイド棒２６と外側ガイド棒５２の途中の高さで止めてネット５７の下端部が地面２８に付くようにすると、通気を確保しながら、作物５６の周辺へ虫やごみが侵入することを防ぐ。天候が悪い時や気温が低い時は、ホース４８から水道水を抜く。すると、シリンダ３６内の水道水が、ハウス本体１６の自重で押上筒２４とホース４８に逆流して水圧が下がり、図３、図４に示すようにハウス本体１６の下枠部１２ｄが地面２８に付く位置まで下がる。この状態では、地面２８と作物５６がハウス本体１６で覆われるため、合成樹脂シート１４によって風を防ぎ、地面２８の熱を逃がさず保温することができる。なお、ホース４８から抜いた水道水は、容器にためて灌水等に使用してもよい。
【００２７】
この実施形態のビニールハウス１０によれば、水道水を注入するという簡単な操作でビニールハウス１０のハウス本体１６を上下に動かすことができる。天候にかかわらず作物５６の生育に適した環境に調整し管理することができ、良好な状態で任意の時期に作物を収穫することができる。ハウス本体１６の上下の移動に使用する水道水は、手軽にどこでも入手可能であり、ランニングコストと製造コストが安価である。水道水は、地面２８にこぼれても土壌を汚さず、作物５６に影響を与えることがなく安全である。その他、雨が降った時に、ハウス本体１６を上げて雨宿りに使用することもでき、雨天の中でいろいろな作業をすることもできる。台風の際は、ハウス本体１６を地面２８に下ろして低くして風を受けにくくし、風による破損を防ぎ、作物５６を守ることもできる。
【００２８】
なお、この考案のビニールハウス１０は、ハウス本体１６の枠部材１２の構造は自由に変更可能である。例えば、図５、図６に示すハウス本体１７は、上枠部１２ａは水平な矩形であり、上枠部１２ａの角部から取付板１８の円筒部２１に向かう内枠部１２ｅが円筒部２１を中心として４本、放射状に設けられている。内枠部１２ｅの、円筒部２１に連結される端部は、上枠部１２ａに連結される端部よりも高い位置に取り付けられ、内枠部１２ｅは傾斜して取り付けられている。上枠部１２ａの４個の辺の各々中間から、取付板１８の円筒部２１に向かう内枠部１２ｆが、円筒部２１を中心として４本、放射状に設けられている。内枠部１２ｆの、円筒部２１に連結される端部は、上枠部１２ａに連結される端部よりも高い位置に取り付けられ、内枠部１２ｆは傾斜して取り付けられている。各内枠部１２ｆの上枠部１２ａ側の端部から、内枠部１２ｅの中間位置に向かう内枠部１２ｇが設けられている。
【００２９】
ハウス本体１７によれば、ハウス本体１７の屋根は円筒部２１が一番高い四角錐となり、勾配が設けられ、雪や雨を下に流すものであり、屋根が重くなることがなく、破損を防ぐことができる。
【００３０】
なお、この考案のビニールハウスは、上記実施形態に限定されるものではなく、各部材の構造や素材は自由に変更可能であり、押上筒やシリンダの構造や数は自由に変更可能であり、例えば１個の押上筒とシリンダが設けられ、これのみでハウス本体の昇降を行ってもよい。地面は、水はけを良くするために、ハウス本体で覆われる部分をその周囲よりも高く土を盛り上げてもよい。また、背の高い作物を植える際に、作物が成長した時にハウス本体の天井に届かないように、ハウス本体で覆われる部分を掘り下げてもよい。地面には、ビニールハウスの外周部付近を囲う低いブロックを設けてもよく、このブロックに腰をかけて作業を行うと姿勢が楽になり、作業効率が良い。ハウス本体の合成樹脂シートを日光を遮る素材に変えてもよく、これにより地面に日蔭を作り、直射日光から作物や作業者を守ることができる。
【符号の説明】
【００３１】
１０  ビニールハウス
１２  枠部材
１４  合成樹脂シート
１６  ハウス本体
１８  取付板
２０  透孔
２１  円筒部
２２  連結部
２４  押上筒
２６  中心ガイド棒
２８  地面
３０  中心基礎部材
３４  フランジ
３５  昇降装置
３６  シリンダ
３８  地面基礎部材
４０  ピストン
４２  注水透孔
４６  給排水口
４８  ホース
５０  摺動部材
５２  外側ガイド棒
５４  外側基礎部材
【図１】
0003180638.tif 000003
【図２】
0003180638.tif 000004
【図３】
0003180638.tif 000005
【図４】
0003180638.tif 000006
【図５】
0003180638.tif 000007
【図６】
0003180638.tif 000008